(57)【要約】【課題】割当済の予備回線が故障している場合であっても現用回線の救済を可能とする拡張ＶＰ切替システムを提供する。【解決手段】伝送路を構成する複数の伝送装置と、前記複数の伝送装置に制御ネットワークを通して接続し、前記複数の伝送装置の監視制御を行なうオペレーションシステムを有し、ＡＴＭネットワークのバーチャルパスの現用回線に対して、あらかじめ予備回線を割当済とし、自局伝送装置と対向局伝送装置を繋ぐ現用回線を予備回線に切り替える際に、前記予備回線が故障の場合、自局伝送装置と対向局伝送装置が、前記予備回線と同一伝送路仮想パス内から空き予備回線を検索して割当てすることにより現用回線を救済可能とする。【選択図】図８
2005333464.tif 000002
【特許請求の範囲】
【請求項１】
伝送路を構成する複数の伝送装置と、
前記複数の伝送装置に制御ネットワークを通して接続し、前記複数の伝送装置の監視制御を行なうオペレーションシステムを有し、
ＡＴＭネットワークのバーチャルパスの現用回線に対して、あらかじめ予備回線を割当済とし、
自局伝送装置と対向局伝送装置を繋ぐ現用回線を予備回線に切り替える際に、前記予備回線が故障の場合、自局伝送装置と対向局伝送装置が、前記予備回線と同一伝送路仮想パス内から空き予備回線を検索して割当てすることにより現用回線を救済可能とすることを特徴とする拡張仮想パス切替方法。
【請求項２】
伝送路を構成する複数の伝送装置と、
前記複数の伝送装置に制御ネットワークを通して接続し、前記複数の伝送装置の監視制御を行なうオペレーションシステムを有し、
ＡＴＭネットワークのバーチャルパスの現用回線に対して、あらかじめ予備回線を割当済とし、
自局伝送装置と対向局伝送装置を繋ぐ現用回線を予備回線に切り替える際に、前記予備回線が故障の場合、前記オペレーションシステムが予備回線と同一方路伝送路ＰＡＴＨ内から空き予備回線を検索して割当てすることにより現用回線を救済可能とすることを特徴とする拡張仮想パス切替方法。
【請求項３】
伝送路を構成する複数の伝送装置と、
前記複数の伝送装置に制御ネットワークを通して接続し、前記複数の伝送装置の監視制御を行なうオペレーションシステムを有し、
ＡＴＭネットワークのバーチャルパスの現用回線に対して、あらかじめ予備回線を割当済とし、
自局伝送装置と対向局伝送装置を繋ぐ現用回線を予備回線に切り替える際に、前記予備回線が故障の場合、前記オペレーションシステムが前記予備回線と同一終端属性を持つ空き予備回線を検索して割当てすることにより現用回線を救済可能とするとすることを特徴とする拡張仮想パス切替システム。
【請求項４】
請求項３において、
前記予備回線と同一終端属性を持つ空き予備回線は、前記自局伝送装置と対向局伝送装置とは、別の伝送装置を経由する回線であることを特徴とする拡張仮想パス切替システム。
【発明の詳細な説明】
【技術分野】
【０００１】
本発明は、ＡＴＭネットワークにおける拡張仮想パス切替システムに関し、詳細には、伝送路を構成する複数の伝送装置（以下、ＮＥＦとする）、及びそれら複数の伝送装置の監視制御を実行するオペレーションシステム（以下、ＯｐＳとする）から構成される、ＡＴＭネットワークの仮想パス(以下、ＶＰとする)における高信頼化、及びＶＰ故障時の高速復旧を実現する為の切替制御を行なうシステムに関する。
【背景技術】
【０００２】
ＡＴＭ(Ａsynchronous Transfer Mode)ネットワークは、高信頼化、及び現用回線故障時の高速復旧を実現する為に、ＶＰ（仮想パス）切替方式を適用している。ＶＰ切替方式は、ＡＴＭネットワーク構築時に現用回線と切替用の予備回線を二重化対象回線毎に設定することで、回線やインタフェースなどに故障が発生した場合、自律的に正常系に切り替えることを可能にしている。また保守時など、現用回線の切替が必要な場合、意図的に切替えを抑止したり、切替えを可能とする。
【０００３】
図１に示す構成は、ＡＴＭ(Ａsynchronous Transfer Mode)ネットワークの基本構成例である。例として伝送装置１，２（以下、ＮＥＦ＃１、＃２と表記）が物理伝送路ＰＡＴＨ−Ａ，Ｂで接続されている。さらに、制御ネットワーク３を通してオペレーションシステム（ＯｐＳ）４に接続されている（特許文献１参照）。
【０００４】
図１において、ＮＥＦ＃１、＃２及びオペレーションシステム（ＯｐＳ）４のそれぞれは、図１（Ａ）、（Ｂ）、（Ｃ）で示されるＶＰ管理テーブルを有している。
【０００５】
図１に示すＶＰ切り替え前の設定ではＮＥＦ＃１の管理する回線は、図１（Ａ）に示すように、ユーザＡの終端点（Ｐ−Ｕ−Ａ）と伝送路ＰＡＴＨ−Ａのパス終端点Ｐ−１−Ａを繋ぐ回線ＣＨ１と、ユーザＡの終端点（Ｐ−Ｕ−Ａ）と伝送路ＰＡＴＨ−Ｂのパス終端点Ｐ−１−Ｂを繋ぐ回線ＣＨ２である。
【０００６】
ＮＥＦ＃２の管理する回線は、図１（Ｂ）に示すように、ユーザＢの終端点（Ｐ−Ｕ−Ｂ）と伝送路ＰＡＴＨ−Ａのパス終端点Ｐ−２−Ａを繋ぐ回線ＣＨ３と、ユーザＢの終端点（Ｐ−Ｕ−Ｂ）と伝送路ＰＡＴＨ−Ｂのパス終端点Ｐ−２−Ｂを繋ぐ回線ＣＨ４である。
【０００７】
そして、回線ＣＨ１とＣＨ３が現用回線であり、回線ＣＨ２とＣＨ４が予備回線に設定されている。
【０００８】
一方、ＯｐＳ４が管理している回線は、伝送路ＰＡＴＨ−Ａについては、回線ＣＨ１と回線ＣＨ３であり、伝送路ＰＡＴＨ−Ｂについては、回線ＣＨ２と回線ＣＨ４である。
【０００９】
図２は、ＯｐＳ４からＮＥＦ＃１とＮＥＦ＃２に現用回線と予備回線を設定する従来技術におけるシーケンスである。
【００１０】
図１に示したように、現用回線（Ｐ−Ｕ−Ａ＝Ｐ−１−Ａ＝Ｐ−２−Ａ＝Ｐ−Ｕ−Ｂ）に対して、あらかじめ予備回線（Ｐ−Ｕ−Ａ＝Ｐ−１−Ｂ＝Ｐ−２−Ｂ＝Ｐ−Ｕ−Ｂ）が割り当ててある場合、以下の切替動作が行なわれる。
【００１１】
図２−Ｓ１：現用回線の伝送路ＰＡＴＨ−Ａで故障が発生するとＮＥＦ＃２のパス終端点Ｐ−２−Ａにおいて、受信警報を検出する。
【００１２】
このとき、図１のＮＥＦ＃２のＶＰ管理テーブル（図１（Ｂ）No.1の「回線状態」は「故障中」へ変化する。
【００１３】
図２−Ｓ２：ＮＥＦ＃２が、図２（Ｂ）に示すＶＰ管理テーブルNo.2を参照し、「回線情報」と「回線状態」から切替可能か否かを判定する。この判定において、「回線情報」の予備回線の「回線状態」が正常の場合、切替可否チェック＝ＯＫとなり、図２−Ｓ３の処理を実施する。反対に、「回線情報」の予備回線の「回線状態」が故障中の場合、切替可否チェック＝ＮＧとなる。
【００１４】
ＮＥＦ＃２からＯｐＳ４に対して、図３に示す「OpS-ＮＥＦ間のインタフェースフレームフォーマット」のパラメータ部内のコマンド部に切替失敗通知データ（Ｐ−２−Ｂ＝Ｐ−Ｕ−Ｂ）を付与し、送出してシーケンスは終了となる。
【００１５】
図２−Ｓ３：ＮＥＦ＃２からＮＥＦ＃１に対して、図４に示す「ＶＰ−ＡＰＳセルフォーマット」のkxkyビットを図４（Ａ）の通りに設定し、予備回線（Ｐ−１−Ｂ＝Ｐ−２−Ｂ）を使用して、ＮＥＦ＃１の予備回線である伝送路ＰＡＴＨ−Ｂ（Ｐ−Ｕ−Ａ＝Ｐ−１−Ｂ）への切替要求を送出する。
【００１６】
図２−Ｓ４：ＮＥＦ＃１は、ＮＥＦ＃２から図４の「ＶＰ−ＡＰＳセルフォーマット」で「回線情報」現用回線の「回線状態」の故障中と、予備回線である伝送路ＰＡＴＨ−Ｂ（Ｐ−Ｕ−Ａ＝Ｐ−１−Ｂ）への切替要求を受信する。
【００１７】
このとき、図１（Ａ）のＮＥＦ＃１のＶＰ管理テーブルNo.1の「回線状態」は「故障中」へ変化する。
【００１８】
図２−Ｓ５：ＮＥＦ＃１は、自局のＶＰＭＤＸ制御により現用回線を伝送路ＰＡＴＨ−Ａ（Ｐ−Ｕ−Ａ＝Ｐ−１−Ａ）から、予備回線の伝送路ＰＡＴＨ−Ｂ（Ｐ−Ｕ−Ａ＝Ｐ−１−Ｂ）へ切り替える。このとき、図１のＮＥＦ＃１のＶＰ管理テーブルNo.1の「回線情報」は「予備回線」へ、No.2の「回線情報」は「現用回線」へ変化する。
【００１９】
図２−Ｓ６：ＮＥＦ＃１からＮＥＦ＃２に対して、図４の「ＶＰ−ＡＰＳセルフォーマット」のkxkyに切替応答を図４（Ｂ）の通りに設定して予備回線（Ｐ−１−Ｂ＝Ｐ−２−Ｂ）を使用して、ＮＥＦ＃２の予備回線である伝送路ＰＡＴＨ−Ｂ（Ｐ−２−Ｂ＝Ｐ−Ｕ−Ｂ）への切替要求を送出する。
【００２０】
図２−Ｓ７：ＮＥＦ＃１からＯｐＳ４に対して、図３の「OpS-ＮＥＦ間のインタフェースフレームフォーマット」のパラメータ部内のコマンド部に切替完了通知データ（Ｐ−Ｕ−Ａ＝Ｐ−１−Ｂ）を付与し、送出する。
【００２１】
図２−Ｓ８：ＮＥＦ＃２は、ＮＥＦ＃１から図４の「ＶＰ−ＡＰＳセルフォーマット」で予備回線である伝送路ＰＡＴＨ−Ｂ（Ｐ−２−Ｂ＝Ｐ−Ｕ−Ｂ）への切替応答を受信する。
【００２２】
図２−Ｓ９：ＮＥＦ＃２は、自局のＶＰＭＤＸ制御により現用回線を伝送路ＰＡＴＨ−Ａ（Ｐ−２−Ａ＝Ｐ−Ｕ−Ｂ）から、予備回線の伝送路ＰＡＴＨ−Ｂ（Ｐ−２−Ｂ＝Ｐ−Ｕ−Ｂ）へ切り替える。この時点で伝送路が復旧する。このとき、図１（Ｂ）のＮＥＦ＃２のＶＰ管理テーブルNo.1の「回線情報」は「予備回線」へ、ＶＰ管理テーブルNo.2の「回線情報」は「現用回線」へ変化する。
【００２３】
図２−Ｓ１０：ＮＥＦ＃２からＯｐＳ４に対して、図３の「OpS-ＮＥＦ間のインタフェースフレームフォーマット」のパラメータ部内のコマンド部に切替完了通知データ（Ｐ−２−Ｂ＝Ｐ−Ｕ−Ｂ）を付与し、送出する。このとき、図１（Ｃ）のＯｐＳ４のＶＰ管理テーブルNo.1の「回線情報」は「予備回線」へ、ＯｐＳ４のＶＰ管理テーブルNo.2の「回線情報」は「現用回線」へ変化する。
【００２４】
図５は、上記のように切換え動作を行なったときの切り替え後の態様を示す図である。
【特許文献１】特開平８−３４０３３５号公報
【発明の開示】
【発明が解決しようとする課題】
【００２５】
しかし、上記従来方式における切替え動作では、割り当て済みの予備回線（Ｐ−Ｕ−Ａ＝Ｐ−１−Ｂ＝Ｐ−２−Ｂ＝Ｐ−Ｕ−Ｂ）が故障している場合には、切り替えることが出来ずに現用回線の救済が不可能であった。
【００２６】
したがって、本発明の目的は、割当済の予備回線が故障している場合であっても現用回線の救済を可能とする拡張ＶＰ切替システムを提供することにある。
【課題を解決するための手段】
【００２７】
上記本発明の課題を達成する拡張ＶＰ切替システムの第１の態様は、伝送路を構成する複数の伝送装置と、前記複数の伝送装置に制御ネットワークを通して接続し、前記複数の伝送装置の監視制御を行なうオペレーションシステムを有し、ＡＴＭネットワークのバーチャルパスの現用回線に対して、あらかじめ予備回線を割当済とし、自局伝送装置と対向局伝送装置を繋ぐ現用回線を予備回線に切り替える際に、前記予備回線が故障の場合、自局伝送装置と対向局伝送装置が、前記予備回線と同一伝送路仮想パス内から空き予備回線を検索して割当てすることにより現用回線を救済可能とすることを特徴とする。
【００２８】
上記本発明の課題を達成する拡張仮想パス切替システムの第２の態様は、伝送路を構成する複数の伝送装置と、前記複数の伝送装置に制御ネットワークを通して接続し、前記複数の伝送装置の監視制御を行なうオペレーションシステムを有し、ＡＴＭネットワークのバーチャルパスの現用回線に対して、あらかじめ予備回線を割当済とし、自局伝送装置と対向局伝送装置を繋ぐ現用回線を予備回線に切り替える際に、前記予備回線が故障の場合、前記オペレーションシステムが予備回線と同一方路伝送路ＰＡＴＨ内から空き予備回線を検索して割当てすることにより現用回線を救済可能とすることを特徴とする。
【００２９】
上記本発明の課題を達成する拡張仮想パス切替システムの第３の態様は、伝送路を構成する複数の伝送装置と、前記複数の伝送装置に制御ネットワークを通して接続し、前記複数の伝送装置の監視制御を行なうオペレーションシステムを有し、ＡＴＭネットワークのバーチャルパスの現用回線に対して、あらかじめ予備回線を割当済とし、自局伝送装置と対向局伝送装置を繋ぐ現用回線を予備回線に切り替える際に、前記予備回線が故障の場合、前記オペレーションシステムが前記予備回線と同一終端属性を持つ空き予備回線を検索して割当てすることにより現用回線を救済可能とすることを特徴とする。
【００３０】
上記本発明の課題を達成する拡張仮想パス切替システムの第４の態様は、第３の態様において、前記予備回線と同一終端属性を持つ空き予備回線は、前記自局伝送装置と対向局伝送装置とは、別の伝送装置を経由する回線であることを特徴とする。
【００３１】
本発明の特徴は、以下に図面に従い説明される実施の形態例から更に明らかになる。
【発明の効果】
【００３２】
本発明に従い、割当済の予備回線が故障している場合に、他ルートから空き予備回線を検索して割当てることで、現用回線の救済が可能となり、更に高速復旧の実現を可能とし、経済的かつ通信回線の信頼性が向上する。また、割当されていない伝送路及びＶＰの有効活用が図れる。
【発明を実施するための最良の形態】
【００３３】
以下に図面に従い、本発明の実施の形態例を説明する。なお、実施の形態例は本発明の理解のためのものであり、本発明の技術的範囲がこれに限定されるものではない。
【００３４】
ここで、以下に示す本発明の実施の形態例に共通する、オペレーションシステムＯｐＳと、伝送装置ＮＥＦの構成例を先に説明する。
【００３５】
図６は、ＯｐＳ４の構成例と、制御ネットワーク３によるＯｐＳ４と複数の伝送装置ＮＥＦ（＃１−＃ｎ）との接続形態を説明する図である。
【００３６】
［入／出力部４０］
ＯｐＳ４内の入／出力部４０は、キーボード及びマウスに接続された入力部４０−１とＣＲＴ装置に接続された出力部４０−２で構成される。入／出力部４０は、オペレータ（操作者）との間でＧＵＩ（Graphical User Interface）を持ち、各ＮＥＦ＃１−＃ｎに対する制御コマンドの入出力、及び各ＮＥＦの監視情報や冗長部切替情報等のイベント情報の出力を行う。
【００３７】
［監視制御アプリケーション部４１］
監視制御アプリケーション部４１は、オペレータ（操作者）から入力部４０−１に入力された各ＮＥＦへの制御コマンド（ＩＦ登録コマンド，ソフトストラップコマンド，ＶＰ/ＶＣ設定コマンド等）を対ＮＥＦ間通信制御部４２を経由して各ＮＥＦに対して実行する。各ＮＥＦから応答された制御コマンドの応答を出力部４０−２に出力して、オペレータに通知する。
【００３８】
また、各ＮＥＦから自律的に発出されたイベント情報（警報，切替通知等）を対ＮＥＦ間通信制御部４２を経由して受信する。受信したイベント情報を出力部４０−２に出力して、オペレータに通知する。
【００３９】
各ＮＥＦに対する制御コマンドの実行結果に伴う運用情報の更新をＮＥＦ内ＢＵ情報バックアップ部（ＤＢ）４３に対して行う。ＮＥＦ内ＢＵ情報バックアップ部（ＤＢ）４３において、各ＮＥＦに保存されている各ＮＥＦ側の運用データを対ＮＥＦ間通信制御部４２を経由して、定期的に収集し、ＮＥＦ内ＢＵ情報バックアップ部（ＤＢ）４３に各ＮＥＦ対応のバックアップ部＃１ＢＵ〜＃４ＢＵに保存する。
【００４０】
［対ＮＥＦ間通信制御部４２］
対ＮＥＦ間通信制御部４２は、監視制御アプリケーション部４１から実行された制御コマンドを該当のＮＥＦに対して送信する。また、制御コマンドの応答を該当のＮＥＦから受信して、監視制御アプリケーション部４１へ通知する。また、対ＮＥＦ間通信制御部４２は、各ＮＥＦから発出されたイベント情報を受信して、監視制御アプリケーション部４１へ通知する。
【００４１】
［ＮＥＦ内ＢＵ情報バックアップ部（ＤＢ）４３］
ＮＥＦ内ＢＵ情報バックアップ部（ＤＢ）４３は、定期的に収集される各ＮＥＦ内のバックアップ情報をＢＵファイル（バイナリデータファイル）として保存する。各ＮＥＦに対する制御コマンド実行により随時変更される各ＮＥＦ内の設定状態をデータベース内４３に保存する。データベース内の更新箇所や更新データは監視制御アプリケーション部４１から指定される。
【００４２】
図７は、ＯｐＳ４に制御ネットワーク３を通して接続されるＮＥＦの構成例であり、次にような機能を有する。
【００４３】
［設定処理］
ＯｐＳ４からＮＥＦへ設定コマンドを送信した場合、基本的な動作としてＮＥＦではSEMF-IF部１０のＬＡＮ１００で受信した設定コマンドを、ＣＰＵ（制御処理部）１０１で正常性を確認し、SEMF-IF部１０からSVCONT部１１へバスインタフェース部１０２を通して送出する。受信したSVCONT部１１ではＣＰＵ（警報監視処理部）１１１で正常性を確認し、バスインタフェース部１１２を通って該当するインタフェースＩＦへ設定する。
【００４４】
［警報検出処理］
SVCONT部１１は被制御パッケージ１２に対して定期的にポーリングし、ＣＰＵ（警報監視処理部）１１１に警報を収集する。SEMF-IF部１０はSVCONT部１１に対して定期的にポーリングし、収集したデータを変換してＯｐＳ４へ通知する。警報発出（地気出力，監視制御ＩＦ転送，架上ランプ，FAILランプ点灯）はソフトストラップコマンドにより禁止可能とする。
【００４５】
［ＶＰ切替処理］
ＶＰ切替には、回線や被制御パッケージが故障してＮＥＦ自律で切替を実行する場合と、ＯｐＳ４からのコマンドで強制的に切替を実行する場合がある。回線や被制御パッケージ１２が故障した場合、SVCONT部が定期的なポーリングで警報を収集し、SEMF-IF部１０へ送出する。SEMF-IF部１０はＣＰＵ（制御処理部）１０１で正常性を確認し、バスインタフェース部１０２を通してSVCONT部１１から被制御パッケージ１２へ切替要求を送出し、切替を実施する。
【００４６】
ＯｐＳ４から強制切替コマンドを送信した場合、コマンドを受信したSEMF-IF部１０がＣＰＵ（制御処理部）１０１で正常性を確認し、SEMF-IF部１０からSVCONT部１１へバスインタフェース部１０２を通して送出する。SVCONT部１１はＣＰＵ（警報監視処理部）１１１で正常性を確認し、被制御パッケージ１２へバスインタフェースフェース部１１２を通して強制切替コマンドを送出する。
【００４７】
［SEMF-IF部のFILE二世代管理］
災害その他の事象により運用情報が消失した場合、ＮＥＦを再度立上げ運用開始する為にＮＥＦの運用情報をファイル（FILE）１０３へバックアップしておく。定時書き込み処理、及びミラー化コマンドで予備ファイル（FILE）１０３−２へ書き込みをし、現用ファイル（FILE）１０３−１へは復旧コマンドで書き込みをする。
【００４８】
上記の図６、図７の構成において、ＯｐＳ４及びＮＥＦ間は先に図３に示したインターフェース・フレームフォーマットにより情報の送受を行う。
【００４９】
図３のフレームフォーマットにおいて、通信ヘッダは、フレームの先頭に置かれるヘッダ部で１６バイト固定長とし、通信に必要な情報のみをのせる。共通部は、メッセージの共通部分で１６バイト固定長とし、ＮＥＦで定義されている操作識別子，クラス識別子，インスタンス識別子をのせる。さらに、パラメータ部は、操作毎に定義される部分(属性識別子，属性値)であり、各クラス，インスタンスでの操作，応答が異なるため、複数の操作を可能とするために可変長としている。
【００５０】
コマンド部は、01検索要求データ、02検索結果応答データ、03切替完了通知データ、04切替失敗通知データ、05他方路切替の検索要求データ、06他方路切替の検索結果応答データ、07他方路切替設定データ、08他方路切替設定の実行結果応答データ、09回線設定データ及び10回線設定の実行結果応答データを含む。
【００５１】
上記各装置の構成機能を用いて実現される本発明の実施の形態例について以下に説明する。
【００５２】
図８は、本発明に従う第１の実施の形態例のＡＴＭネットワークの構成例（ＶＰ切り替え前）とＶＰ管理テーブルの状態を示し、図９は、ＶＰ切り替え後のＡＴＭネットワークの構成とＶＰ管理テーブルの状態を示す図である。第１の実施の形態例は、ＮＥＦ主体で切り替えが行なわれる例であり、図１０は、その動作シーケンス図である。図１０に従い第１の実施の形態例動作を以下に説明する。
【００５３】
現用回線（Ｐ−Ｕ−Ａ＝Ｐ−１−Ａ＝Ｐ−２−Ａ＝Ｐ−Ｕ−Ｂ）に対して、あらかじめ予備回線（Ｐ−Ｕ−Ａ＝Ｐ−１−Ｂ＝Ｐ−２−Ｂ＝Ｐ−Ｕ−Ｂ）を割り当ててある場合に予備回線（Ｐ−Ｕ−Ａ＝Ｐ−１−Ｂ＝Ｐ−２−Ｂ＝Ｐ−Ｕ−Ｂ）への切替ができずに予備回線（Ｐ−Ｕ−Ａ＝Ｐ−１−Ｂ＝Ｐ−２−Ｂ＝Ｐ−Ｕ−Ｂ）と同一回線（伝送路ＰＡＴＨ−Ｂ）の空き回線（Ｐ−１−Ｂ’＝Ｐ−２−Ｂ’）への切替動作を実施する例である。
【００５４】
図１０−Ｓ１−１：現用回線の伝送路ＰＡＴＨ−Ａで故障が発生するとＮＥＦ＃２のユーザ終端点Ｐ−２−Ａで、受信警報を検出する。これにより、図９（Ｂ）のＮＥＦ＃２のＶＰ管理テーブルNo.1の「回線状態」は「故障中」へ変化する。
【００５５】
図１０−Ｓ１−２：ＮＥＦ＃２が、図７（Ｂ）のＮＥＦ＃２のＶＰ管理テーブルNo.2を参照し、「回線情報」と「回線状態」から切替可能かを判定し、「回線情報」予備回線の「回線状態」故障中を検出し、予備回線へ切替不可となる。これにより、図８のＮＥＦ＃２のＶＰ管理テーブルNo.2の「回線情報」は「使用不可」へ変化する（図９（Ｂ）参照）。
【００５６】
図１０−Ｓ１−３：ＮＥＦ＃２が、図８（Ｂ）のＮＥＦ＃２のＶＰ管理テーブルNo.3を参照し、「回線情報」と「回線状態」から切替可能かを判定する。「回線情報」が空き回線で、「回線状態」が正常の場合、切替可否チェック＝ＯＫとなり、図１０−Ｓ１―４の処理を実施する。
【００５７】
「回線情報」の空き回線が無い、または「回線状態」が正常でない場合、切替可否チェック＝ＮＧとなる。ＮＥＦ＃２からＯｐＳ４に対して、図３のＯｐＳ-ＮＥＦ間のインタフェースフレームフォーマットのパラメータ部内のコマンド部に切替失敗通知データ（Ｐ−２−Ｂ＝Ｐ−Ｕ−Ｂ）を付与し、送出してシーケンスは終了となる。
【００５８】
図１０−Ｓ１−４：ＮＥＦ＃２からＮＥＦ＃１に対して、図４に示したＶＰ−ＡＰＳセルフォーマットのkxkyに切替要求を図１０（Ａ）に示すように設定して、ＶＰ−ＡＰＳセルの空き領域１Byte(APS RSV)に切替情報としてＰ−２−Ｂ’の「Ｂ’」を格納し、空き回線（Ｐ−１−Ｂ’＝Ｐ−２−Ｂ’）を使用して、ＮＥＦ＃１へ切替要求を送出する。
【００５９】
図１０−Ｓ１−５：ＮＥＦ＃１は、ＮＥＦ＃２から図４のＶＰ−ＡＰＳセルフォーマットで「回線情報」現用回線の「回線状態」故障中と、切替情報「Ｂ’」を受信する。これに従い、図８（Ａ）のＮＥＦ＃１のＶＰ管理テーブルNo.1の「回線状態」は「故障中」へ変化する(図９（Ａ）)。
【００６０】
図１０−Ｓ１−６：ＮＥＦ＃１は、自局のＶＰＭＤＸ制御により現用回線を伝送路ＰＡＴＨ−Ａ（Ｐ−Ｕ−Ａ＝Ｐ−１−Ａ）から、受信した切替情報「Ｂ'」 を格納している予備回線と同一回線の伝送路ＰＡＴＨ−Ｂ（Ｐ−Ｕ−Ａ＝Ｐ−１−Ｂ'）へ切り替える。図８（Ａ）のＮＥＦ＃１のＶＰ管理テーブルNo.1の「回線情報」は「使用不可」へ、ＶＰ管理テーブルNo.2の「回線情報」は「使用不可」へ、ＶＰ管理テーブルNo.3の「回線情報」は「現用回線」へ変化する(図９（Ａ）)。
【００６１】
図１０−Ｓ１−７：ＮＥＦ＃１からＮＥＦ＃２に対して、図４のＶＰ−ＡＰＳセルフォーマットのkxkyに切替応答を図１０（Ｂ）に示すように設定して、ＶＰ−ＡＰＳセルの空き領域１Byte(APS RSV)に切替情報としてＰ−２−Ｂ'の「Ｂ'」を格納し、空き回線（Ｐ−１−Ｂ’＝Ｐ−２−Ｂ’）を使用して、ＮＥＦ＃２へ切替要求を送出する。
【００６２】
図１０−Ｓ１−８：ＮＥＦ＃１からＯｐＳ４に対して、図３のＯｐＳ-ＮＥＦ間のインタフェースフレームフォーマットのパラメータ部内のコマンド部に切替完了通知データ（Ｐ−Ｕ−Ａ＝Ｐ−１−Ｂ'）を付与し、送出する。
【００６３】
図１０−Ｓ１−９：ＮＥＦ＃２は、ＮＥＦ＃１から図４のＶＰ−ＡＰＳセルフォーマットで切替情報「Ｂ’」を受信する。ＮＥＦ＃２は、自局のＶＰＭＤＸ制御により現用回線を伝送路ＰＡＴＨ−Ａ（Ｐ−２−Ａ＝Ｐ−Ｕ−Ｂ）から、受信した切替情報「Ｂ'」 を格納している予備回線と同一回線の伝送路ＰＡＴＨ−Ｂ（Ｐ−２−Ｂ’＝Ｐ−Ｕ−Ｂ）へ切り替える。この時点で伝送路が復旧する。
【００６４】
図１０−Ｓ１−１０：図８（Ｂ）のＮＥＦ＃２のＶＰ管理テーブルNo.1の「回線情報」は「使用不可」へ、ＶＰ管理テーブルNo.3の「回線情報」は「現用回線」へ変化する。
【００６５】
図１０−Ｓ１−１１：ＮＥＦ＃２からＯｐＳ４に対して、図３のＯpＳ-ＮＥＦ間のインタフェースフレームフォーマットのパラメータ部内のコマンド部に切替完了通知データ（Ｐ−２−Ｂ’＝Ｐ−Ｕ−Ｂ）を付与し、送出する。これにより図８（Ｃ）のＯｐＳ４のＶＰ管理テーブルNo.1の「回線情報」は「使用不可」へ、ＶＰ管理テーブルNo.2の「回線情報」は「使用不可」へ、ＶＰ管理テーブルNo.3の「回線情報」は「現用回線」へ変化する。上記の手順により図８の基本構成図は切替完了後、図９の基本構成図となる。
【００６６】
上記の様に、第１の実施の形態例では、対向するＮＥＦ同士が、同一回線に切替可能な空き回線を検索し、その結果より回線を救済する。予備回線への切替ＮＧで処理を止めず、ＮＥＦで管理しているＶＰ管理テーブルに接続先伝送装置情報を追加し、図４のＶＰ−ＡＰＳセルフォーマットの空き領域１ＢｙｔE(ＡPS RSV)に切替情報を追加し、予備回線と同一回線に空き回線が無いかを検索する処理をＮＥＦへ追加している。
【００６７】
図１１は、本発明に従う第２の実施の形態例のＡＴＭネットワークの構成例（ＶＰ切り替え前）とＶＰ管理テーブルの状態を示し、図１２は、ＶＰ切り替え後のＡＴＭネットワークの構成とＶＰ管理テーブルの状態を示す図である。第２の実施の形態例もＮＥＦ主体で切り替えが行なわれる例であり、図１３は、その動作シーケンス図である。図１３に従い第２の実施の形態例動作を以下に説明する。
【００６８】
現用回線（Ｐ−Ｕ−Ａ＝Ｐ−１−Ａ＝Ｐ−２−Ａ＝Ｐ−Ｕ−Ｂ）に対して、あらかじめ予備回線（Ｐ−Ｕ−Ａ＝Ｐ−１−Ｂ＝Ｐ−２−Ｂ＝Ｐ−Ｕ−Ｂ）が割り当ててある場合に予備回線（Ｐ−Ｕ−Ａ＝Ｐ−１−Ｂ＝Ｐ−２−Ｂ＝Ｐ−Ｕ−Ｂ）への切替ができずに予備回線（Ｐ−Ｕ−Ａ＝Ｐ−１−Ｂ＝Ｐ−２−Ｂ＝Ｐ−Ｕ−Ｂ）と同一方路回線（伝送路ＰＡＴＨ−Ｃ）の空き回線（Ｐ−１−Ｃ＝Ｐ−２−Ｃ）への切替動作を実施する。
【００６９】
図１３−Ｓ２−１：現用回線の伝送路ＰＡＴＨ−Ａで故障が発生するとＮＥＦ＃２のＰ−２−Ａにて受信警報を検出する。したがって、図１１（Ｂ）のＮＥＦ＃２のＶＰ管理テーブルNo.1の「回線状態」は「故障中」へ変化する(図１２（Ｂ）)。
【００７０】
図１３−Ｓ２−２：ＮＥＦ＃２が、図１１（Ｂ）のＮＥＦ＃２のＶＰ管理テーブルNo.2を参照し、「回線情報」と「回線状態」から切替可能か判定し、「回線情報」予備回線の「回線状態」故障中を検出し、予備回線へ切替不可となる。したがって、図１１（Ｂ）のＮＥＦ＃２のＶＰ管理テーブルNo.2の「回線情報」は「使用不可」へ変化する(図１２（Ｂ）)。
【００７１】
図１３−Ｓ２−３：ＮＥＦ＃２からＯｐＳ４に対して、図３のOpS-ＮＥＦ間のインタフェースフレームフォーマットのパラメータ部内のコマンド部に検索要求データ（Ｐ−２−Ｂ＝Ｐ−Ｕ−Ｂ）を付与し、予備回線と同一方路回線に空き回線が無いかの検索要求を送出する。
【００７２】
図１３−Ｓ２−４：ＯｐＳ４は、ＮＥＦ＃２から予備回線と同一方路回線内に空き回線が無いかの検索要求データ（Ｐ−２−Ｂ＝Ｐ−Ｕ−Ｂ）を受信する。
【００７３】
図１３−Ｓ２−５：ＯｐＳ４は、受信した検索要求データ（Ｐ−２−Ｂ＝Ｐ−Ｕ−Ｂ）から図１１（Ｃ）のＯｐＳ４のＶＰ管理テーブルNo.2を参照し、ＯｐＳ４が管理している回線から接続している伝送装置がＮＥＦ＃１＝ＮＥＦ＃２を認識する。ＯｐＳ４は、図１１（Ｃ）のＯｐＳ４のＶＰ管理テーブルからＮＥＦ＃１＝ＮＥＦ＃２の回線情報の空き回線を検索し、ＶＰ管理テーブルNo.3の伝送路ＰＡＴＨ−Ｃ（ＮＥＦ＃１(Ｐ−Ｕ−Ａ＝Ｐ−１−Ｃ)＝ＮＥＦ＃２(Ｐ−２−Ｃ＝Ｐ−Ｕ−Ｂ)を検出する。
【００７４】
図１３−Ｓ２−６：ＯｐＳ４からＮＥＦ＃２に対して、図３のOpS-ＮＥＦ間のインタフェースフレームフォーマットのパラメータ部内のコマンド部に検索結果データ(Ｐ−２−Ｃ＝Ｐ−Ｕ−Ｂ)を付与し、予備回線と同一方路回線に空き回線が無いかの検索結果を送出する。
【００７５】
図１３−Ｓ２−７：ＮＥＦ＃２は、ＯｐＳ４から検索結果として図３のOpS-ＮＥＦ間のインタフェースフレームフォーマットで予備回線と同一方路回線の空き回線(Ｐ−２−Ｃ＝Ｐ−Ｕ−Ｂ)を受信する。
【００７６】
図１３−Ｓ２−８：ＮＥＦ＃２が、図１１（Ｂ）のＮＥＦ＃２のＶＰ管理テーブルNo.3を参照し、「回線情報」と「回線状態」から切替可能かを判定する。「回線情報」空き回線の「回線状態」が正常の場合、切替可否チェック＝ＯＫとなり、図１３−Ｓ２−９の処理を実施する。
【００７７】
「回線情報」に空き回線が無い、または「回線状態」が正常で無い場合、切替可否チェック＝ＮＧとなる。ＮＥＦ＃２からＯｐＳ４に対して、図３のOpS-ＮＥＦ間のインタフェースフレームフォーマットのパラメータ部内のコマンド部に切替失敗通知データ（Ｐ−２−Ｂ＝Ｐ−Ｕ−Ｂ）を付与し、送出してシーケンスは終了となる。
【００７８】
図１３−Ｓ２−９：ＮＥＦ＃２からＮＥＦ＃１に対して、図４のＶＰ−ＡＰＳセルフォーマットのkxkyに切替要求を図１３（Ａ）の通りに設定して、ＶＰ−ＡＰＳセルの空き領域１Byte(APS RSV)に切替情報としてＰ−２−Ｃの「Ｃ」を格納し、空き回線（Ｐ−１−Ｃ＝Ｐ−２−Ｃ）を使用して、ＮＥＦ＃１へ切替要求を送出する。
【００７９】
図１３−Ｓ２−１０：ＮＥＦ＃１は、ＮＥＦ＃２から図４のＶＰ−ＡＰＳセルフォーマットで「回線情報」現用回線の「回線状態」故障中と、切替情報「Ｃ」を受信する。したがって、図１１（Ａ）のＮＥＦ＃１のＶＰ管理テーブルNo.1の「回線状態」は「故障中」へ変化する(図１２（Ａ）)。
【００８０】
図１３−Ｓ２−１１：ＮＥＦ＃１は、自局のＶＰＭＤＸ制御により現用回線を伝送路ＰＡＴＨ−Ａ（Ｐ−Ｕ−Ａ＝Ｐ−１−Ａ）から、受信した切替情報「Ｃ」を格納している予備回線と同一方路回線の伝送路ＰＡＴＨ−Ｃ（Ｐ−Ｕ−Ａ＝Ｐ−１−Ｃ）へ切り替える。図１１（Ａ）のＮＥＦ＃１のＶＰ管理テーブルNo.1の「回線情報」は「使用不可」へ、No.2の「回線情報」は「使用不可」へ、No.3の「回線情報」は「現用回線」へ変化する(図１２（Ａ）)。
【００８１】
図１３−Ｓ２−１２：ＮＥＦ＃１からＮＥＦ＃２に対して、図４のＶＰ−ＡＰＳセルフォーマットのkxkyに切替応答を図１３（Ｂ）の通りに設定して、ＶＰ−ＡＰＳセルの空き領域１ＢｙｔE(ＡPS RSV)に切替情報としてＰ−２−Ｃの「Ｃ」を格納し、空き回線（Ｐ−１−Ｃ＝Ｐ−２−Ｃ）を使用して、ＮＥＦ＃２へ切替要求を送出する。
【００８２】
図１３−Ｓ２−１３：ＮＥＦ＃１からＯｐＳ４に対して、図３のOpS-ＮＥＦ間のインタフェースフレームフォーマットのパラメータ部内のコマンド部に切替完了通知データ（Ｐ−Ｕ−Ａ＝Ｐ−１−Ｃ）を付与し、送出する。
【００８３】
図１３−Ｓ２−１４：ＮＥＦ＃２は、ＮＥＦ＃１から図４のＶＰ−ＡＰＳセルフォーマットで切替情報「Ｃ」を受信する。
【００８４】
図１３−Ｓ２−１５：ＮＥＦ＃２は、自局のＶＰＭＤＸ制御により現用回線を伝送路ＰＡＴＨ−Ａ（Ｐ−２−Ａ＝Ｐ−Ｕ−Ｂ）から、受信した切替情報「Ｃ」を格納している予備回線と同一方路回線の伝送路ＰＡＴＨ−Ｃ（Ｐ−１−Ｃ＝Ｐ−２−Ｃ）へ切り替える。
【００８５】
この時点で伝送路が復旧する。この際、図１１（Ｂ）のＮＥＦ＃２のＶＰ管理テーブルNo.1の「回線情報」は「使用不可」へ、ＶＰ管理テーブルNo.3の「回線情報」は「現用回線」へ変化する。
図１３−Ｓ２−１６：ＮＥＦ＃２からＯｐＳ４に対して、図３のOpS-ＮＥＦ間のインタフェースフレームフォーマットのパラメータ部内のコマンド部に切替完了通知データ（Ｐ−２−Ｃ＝Ｐ−Ｕ−Ｂ）を付与し、送出する。図１１（Ｂ）のＯｐＳ４のＶＰ管理テーブルNo.1の「回線情報」は「使用不可」へ、ＶＰ管理テーブルNo.2の「回線情報」は「使用不可」へ、ＶＰ管理テーブルNo.3の  「回線情報」は「現用回線」へ変化する。図１１の基本構成図は切替完了後、図１２の基本構成図となる。
【００８６】
上記の通り、第２の実施の形態例では、特徴として、予備回線への切替ＮＧで処理を止めず、ＮＥＦで管理しているＶＰ管理テーブルに接続先伝送装置情報を追加し、図４のＶＰ−ＡＰＳセルフォーマットの空き領域１BYTE(APS RSV)に切替情報を追加し、予備回線と同一方路回線に空き予備回線が無いかを検索する処理をＯｐＳ４へ追加している。
【００８７】
図１４は、本発明に従う第３の実施の形態例のＡＴＭネットワークの構成例（ＶＰ切り替え前）とＶＰ管理テーブルの状態を示し、図１５は、ＶＰ切り替え後のＡＴＭネットワークの構成とＶＰ管理テーブルの状態を示す図である。第３の実施の形態例は、ＯｐＳ主体で切り替えが行なわれる例であり、図１６は、その動作シーケンス図である。図１６に従い第３の実施の形態例動作を以下に説明する。
【００８８】
現用回線（Ｐ−Ｕ−Ａ＝Ｐ−１−Ａ＝Ｐ−２−Ａ＝Ｐ−Ｕ−Ｂ）に対して、あらかじめ予備回線（Ｐ−Ｕ−Ａ＝Ｐ−１−Ｂ＝Ｐ−２−Ｂ＝Ｐ−Ｕ−Ｂ）が割り当ててある場合に予備回線（Ｐ−Ｕ−Ａ＝Ｐ−１−Ｂ＝Ｐ−２−Ｂ＝Ｐ−Ｕ−Ｂ）への切替ができずに予備回線（Ｐ−Ｕ−Ａ＝Ｐ−１−Ｂ＝Ｐ−２−Ｂ＝Ｐ−Ｕ−Ｂ）と同一回線終端（伝送路ＰＡＴＨ−Ｄ＝伝送路ＰＡＴＨ−E）の空き回線（Ｐ−１−Ｄ＝Ｐ−３−Ｄ＝Ｐ−３−E＝Ｐ−２−E）への切替動作を実施する。
【００８９】
図１６−Ｓ３−１：現用回線の伝送路ＰＡＴＨ−Ａで故障が発生するとＮＥＦ＃２のＰ−２−Ａにて受信警報を検出する。図１４（Ｂ）のＮＥＦ＃２のＶＰ管理テーブルNo.1の「回線状態」は「故障中」へ変化する。
【００９０】
図１６−Ｓ３−２：ＮＥＦ＃２が、図１４（Ｂ）のＮＥＦ＃２のＶＰ管理テーブルNo.2を参照し、「回線情報」と「回線状態」から切替可能か判定し、「回線情報」予備回線の「回線状態」故障中を検出し、予備回線へ切替不可となる。これにより図１４（Ｂ）のＮＥＦ＃２のＶＰ管理テーブルNo.2の「回線情報」は「使用不可」へ変化する。
【００９１】
図１６−Ｓ３−３：ＮＥＦ＃２からＯｐＳ４に対して、図３のOpS-ＮＥＦ間のインタフェースフレームフォーマットのパラメータ部内のコマンド部に検索要求データ（Ｐ−２−Ｂ＝Ｐ−Ｕ−Ｂ）を付与し、予備回線と同一方路回線に空き回線が無いかの検索要求を送出する。
【００９２】
図１６−Ｓ３−４：ＯｐＳ４は、ＮＥＦ＃２から予備回線と同一方路回線内に空き回線が無いかの検索要求データ（Ｐ−２−Ｂ＝Ｐ−Ｕ−Ｂ）を受信する。
【００９３】
図１６−Ｓ３−５：ＯｐＳ４は、受信した検索要求データ（Ｐ−２−Ｂ＝Ｐ−Ｕ−Ｂ）から図１４（Ｃ）のＯｐＳ４のＶＰ管理テーブルNo.2を参照し、「OpSが管理している回線」から接続している伝送装置がＮＥＦ＃１＝ＮＥＦ＃２を認識する。ＯｐＳ４は、図１４（Ｃ）のＯｐＳ４のＶＰ管理テーブルからＮＥＦ＃１＝ＮＥＦ＃２の「回線情報」空き回線を検索し、ＶＰ管理テーブルNo.3の伝送路ＰＡＴＨ−Ｃ（ＮＥＦ＃１(Ｐ−Ｕ−Ａ＝Ｐ−１−Ｃ)＝ＮＥＦ＃２(Ｐ−２−Ｃ＝Ｐ−Ｕ−Ｂ)を検出する。
【００９４】
図１６−Ｓ３−６：ＯｐＳ４からＮＥＦ＃２に対して、図３のOpS-ＮＥＦ間のインタフェースフレームフォーマットのパラメータ部内のコマンド部に検索結果データ（Ｐ−２−Ｃ＝Ｐ−Ｕ−Ｂ）を付与し、予備回線と同一方路回線に空き回線が無いかの検索結果を送出する。
【００９５】
図１６−Ｓ３−７：ＮＥＦ＃２は、ＯｐＳ４から検索結果として図３のOpS-ＮＥＦ間のインタフェースフレームフォーマットで予備回線と同一方路回線の空き回線(Ｐ−２−Ｃ＝Ｐ−Ｕ−Ｂ)を受信する。
【００９６】
図１６−Ｓ３−８：ＮＥＦ＃２が、図１４（Ｂ）のＮＥＦ＃２のＶＰ管理テーブルNo.3を参照し、「回線情報」故障中を検出し、予備回線と同一方路回線へ切替不可となる。図１４（Ｂ）のＮＥＦ＃２のＶＰ管理テーブルNo.3の「回線情報」は「使用不可」へ変化する。
【００９７】
図１６−Ｓ３−９：ＮＥＦ＃２からＯｐＳ４に対して、図３のOpS-ＮＥＦ間のインタフェースフレームフォーマットのパラメータ部内のコマンド部に他方路切替の検索要求データ（「接続先伝送装置」ＮＥＦ＃１と（Ｐ−２−Ｂ＝Ｐ−Ｕ−Ｂ））を付与し、送出する。
【００９８】
図１６−Ｓ３−１０：ＯｐＳ４は、ＮＥＦ＃２から他方路切替の検索要求データ（「接続先伝送装置」ＮＥＦ＃１と（Ｐ−２−Ｂ＝Ｐ−Ｕ−Ｂ））を受信する。
【００９９】
図１６−Ｓ３−１１：ＯｐＳ４は、受信した他方路切替の検索要求データ（「接続先伝送装置」ＮＥＦ＃１とＰ−２−Ｂ＝Ｐ−Ｕ−Ｂ）から図１４（Ｃ）のＯｐＳ４のＶＰ管理テーブルNo.2を参照し、「OpSが管理している回線」から接続している伝送装置がＮＥＦ＃１＝ＮＥＦ＃２を認識する。
【０１００】
ＯｐＳ４は、図１４（Ｃ）のＯｐＳ４のＶＰ管理テーブルからＮＥＦ＃１＝ＮＥＦ＃２の他方路で「回線情報」空き回線を検索し、ＶＰ管理テーブルNo.4の伝送路ＰＡＴＨ−Ｄ（ＮＥＦ＃１(Ｐ−Ｕ−Ａ＝Ｐ−１−Ｄ)＝ＮＥＦ３（＃３）(Ｐ−３−Ｄ)）と、No.5の伝送路ＰＡＴＨ−E（ＮＥＦ３（＃３）(Ｐ−３−E)＝ＮＥＦ＃２(Ｐ−２−E＝Ｐ−Ｕ−Ｂ)）を検出する。
【０１０１】
図１６−Ｓ３−１２：ＯｐＳ４からＮＥＦ＃１に対して、図３のOpS-ＮＥＦ間のインタフェースフレームフォーマットのパラメータ部内のコマンド部に他方路切替設定データ（Ｐ−Ｕ−Ａ＝Ｐ−１−Ｄ）を付与し、送出する。
【０１０２】
図１６−Ｓ３−１３：ＮＥＦ＃１は、ＯｐＳ４から他方路切替設定データ（Ｐ−Ｕ−Ａ＝Ｐ−１−Ｄ）を受信し、自局のＶＰＭＤＸ制御により現用回線を伝送路ＰＡＴＨ−Ａ（Ｐ−Ｕ−Ａ＝Ｐ−１−Ａ）から、他方路の伝送路ＰＡＴＨ−Ｄ（Ｐ−Ｕ−Ａ＝Ｐ−１−Ｄ）へ切替設定処理を実行する。図１４（Ａ）のＮＥＦ＃１のＶＰ管理テーブルNo.1の「回線情報」は「使用不可」へ、「回線状態」は「故障中」へ変化する。ＮＥＦ＃１のＶＰ管理テーブルNo.2の「回線情報」は「使用不可」へ、ＶＰ管理テーブルNo.3の「回線情報」は「使用不可」へ、ＶＰ管理テーブルNo.4の「回線情報」は「現用回線」へ変化する。
【０１０３】
図１６−Ｓ３−１４：ＮＥＦ＃１からＯｐＳ４に対して、図３のOpS-ＮＥＦ間のインタフェースフレームフォーマットのパラメータ部内のコマンド部に他方路切替設定の処理実行結果データ（Ｐ−Ｕ−Ａ＝Ｐ−１−Ｄ）を付与し、送出する。
【０１０４】
図１６−Ｓ３−１５：ＯｐＳ４からＮＥＦ＃３に対して、図３のOpS-ＮＥＦ間のインタフェースフレームフォーマットのパラメータ部内のコマンド部に回線設定データ（Ｐ−３−Ｄ＝Ｐ−３−Ｅ）を付与し、送出する。
【０１０５】
図１６−Ｓ３−１６：ＮＥＦ３（＃３）は、ＯｐＳ４から回線設定データ（Ｐ−３−Ｄ＝Ｐ−３−Ｅ）を受信し、Ｐ−３−Ｄ＝Ｐ−３−Ｅの回線設定の処理を実行する。したがって、図１５（Ｃ）のＮＥＦ３（＃３）にＶＰ管理テーブルを作成する。
【０１０６】
図１６−Ｓ３−１７：ＮＥＦ３（＃３）からＯｐＳ４に対して、図３のOpS-ＮＥＦ間のインタフェースフレームフォーマットのパラメータ部内のコマンド部に回線設定の実行結果応答データ（Ｐ−３−Ｄ＝Ｐ−３−Ｅ）を付与し、送出する。
【０１０７】
図１６−Ｓ３−１８：ＯｐＳ４らＮＥＦ＃２に対して、図３のOpS-ＮＥＦ間のインタフェースフレームフォーマットのパラメータ部内のコマンド部に他方路切替設定データ（Ｐ−２−Ｅ＝Ｐ−Ｕ−Ｂ）を付与し、伝送路ＰＡＴＨ−Ｅ（Ｐ−２−Ｅ＝Ｐ−Ｕ−Ｂ）への切替設定を送出する。
【０１０８】
図１６−Ｓ３−１９：ＮＥＦ＃２は、ＯｐＳ４から他方路切替設定データ（Ｐ−２−Ｅ＝Ｐ−Ｕ−Ｂ）を受信し、自局のＶＰＭＤＸ制御により現用回線を伝送路ＰＡＴＨ−Ａ（Ｐ−２−Ａ＝Ｐ−Ｕ−Ｂ）から、他方路の伝送路ＰＡＴＨ−Ｅ（Ｐ−２−Ｅ＝Ｐ−Ｕ−Ｂ）へ切替設定処理を実行する。図１４（Ｂ）のＮＥＦ＃２のＶＰ管理テーブルNo.1の「回線情報」は「使用不可」へ、ＶＰ管理テーブルNo.4の「回線情報」は「現用回線」へ変化する（図１５（Ｂ））。
【０１０９】
図１６−Ｓ３−２０：ＮＥＦ＃２からＯｐＳ４に対して、図３のOpS-ＮＥＦ間のインタフェースフレームフォーマットのパラメータ部内のコマンド部に他方路切替設定の処理実行結果データ（Ｐ−２−Ｅ＝Ｐ−Ｕ−Ｂ）を付与し、送出する。図１４（Ｃ）のＯｐＳ４のＶＰ管理テーブルNo.1の「回線情報」は「使用不可」へ、ＶＰ管理テーブルNo.2の「回線情報」は「使用不可」へ、ＶＰ管理テーブルNo.3の「回線情報」は「使用不可」へ、ＶＰ管理テーブルNo.4の「回線情報」は「現用回線」へ、ＶＰ管理テーブルNo.5の「回線情報」は「現用回線」へ変化する。上記により、図１４の基本構成図は切替完了後、図１５の基本構成図となる。
【０１１０】
上記の第３の実施の形態例は、予備回線への切替ＮＧで処理を止めず、ＮＥＦで管理しているＶＰ管理テーブルに接続先伝送装置情報を追加し、他方路切替ができないかをＯｐＳ４へ通知して要求する。他方路を経由して、現用回線を救済できるパターンが無いかを検索する処理をＯｐＳ４へ追加することを特徴とする。その後の他方路設定は、既存の回線／回線設定処理を使用する。
【産業上の利用可能性】
【０１１１】
上記に説明したように、割当済の予備回線が故障している場合に、他ルートから空き予備回線を検索して割当てることで、現用回線の救済が可能となる。さらに、高速復旧の実現を可能とし、経済的かつ通信回線の信頼性が向上させることができる。これにより、割当されていない伝送路及びＶＰの有効活用が図れ、産業上寄与するところ大である。
【図面の簡単な説明】
【０１１２】
【図１】ＡＴＭ(Ａsynchronous Transfer Modeネットワークの基本構成例を示す図である。
【図２】ＯｐＳからＮＥＦ＃１とＮＥＦ＃２に現用回線と予備回線を設定する従来技術におけるシーケンス図である。
【図３】「OpS-ＮＥＦ間のインタフェースフレームフォーマット」を示す図である。
【図４】「ＶＰ−ＡＰＳセルフォーマット」を示す図である。
【図５】図１に示す形態例で切換え動作を行なったときの切り替え後の態様を示す図である。
【図６】ＯｐＳ４の構成例と、制御ネットワーク３によるＯｐＳ４と複数の伝送装置ＮＥＦ（＃１−＃ｎ）との接続形態を説明する図である。
【図７】ＯｐＳ４に制御ネットワーク３を通して接続されるＮＥＦの構成例を示す図である。
【図８】本発明に従う第１の実施の形態例のＡＴＭネットワークの構成例（ＶＰ切り替え前）とＶＰ管理テーブルの状態を示す図である。
【図９】ＶＰ切り替え後のＡＴＭネットワークの構成とＶＰ管理テーブルの状態を示す図である。
【図１０】ＮＥＦ主体で切り替えが行なわれる第１の実施の形態例の動作シーケンス図である。
【図１１】本発明に従う第２の実施の形態例のＡＴＭネットワークの構成例（ＶＰ切り替え前）とＶＰ管理テーブルの状態を示す図である。
【図１２】ＶＰ切り替え後のＡＴＭネットワークの構成とＶＰ管理テーブルの状態を示す図である。
【図１３】ＮＥＦ主体で切り替えが行なわれる第２の実施の形態例の動作シーケンス図である。
【図１４】本発明に従う第３の実施の形態例のＡＴＭネットワークの構成例（ＶＰ切り替え前）とＶＰ管理テーブルの状態を示す図である。
【図１５】ＶＰ切り替え後のＡＴＭネットワークの構成とＶＰ管理テーブルの状態を示す図である。
【図１６】ＯｐＳ主体で切り替えが行なわれる第３の実施の形態例の動作シーケンス図である。
【符号の説明】
【０１１３】
１、２  伝送装置
３  制御ネットワーク
４  オペレーションシステム
【図１】
2005333464.tif 000003
【図２】
2005333464.tif 000004
【図３】
2005333464.tif 000005
【図４】
2005333464.tif 000006
【図５】
2005333464.tif 000007
【図６】
2005333464.tif 000008
【図７】
2005333464.tif 000009
【図８】
2005333464.tif 000010
【図９】
2005333464.tif 000011
【図１０】
2005333464.tif 000012
【図１１】
2005333464.tif 000013
【図１２】
2005333464.tif 000014
【図１３】
2005333464.tif 000015
【図１４】
2005333464.tif 000016
【図１５】
2005333464.tif 000017
【図１６】
2005333464.tif 000018